(57)【要約】【課題】柔軟性を持つ包装物を封筒状の包装袋に小ロット容易に収納取り出しを行うことの出来る包装用補助台紙を提供すること。【解決手段】柔軟性を持つ包装物２を収納するための包装用補助台紙で、本体外皮１の収納スペースに略一致する所定の強度を持つシート３と、該シート３の挿入先端側辺３Ａの一部を折り曲げて構成された前記包装物２を支持するための支持部４と、前記包装物２を前記支持部４との間で位置保持するために前記シート３の挿入基端側の一部に設けられたストッパー５とからなる。【選択図】          図２
2004338797.tif 000002
【特許請求の範囲】
【請求項１】
合成樹脂フィルムで袋状に構成された本体外皮１に、柔軟性を持つ包装物２を収納するための包装用補助台紙であって、
前記本体外皮１の収納スペースに略一致する所定の強度を持つシート３と、
該シート３の挿入先端側辺３Ａの一部を折り曲げて構成された前記包装物２を支持するための支持部４と、
前記包装物２を前記支持部４との間で位置保持するために前記シート３の挿入基端側の一部に設けられたストッパー５と、
から構成された包装用補助台紙。
【請求項２】
前記支持部４が前記シート３の挿入側の一部３Ａを折り曲げて前記包装物２を介在させて該シート３に所要長さＬだけ重なるように構成されている、
請求項１の包装用補助台紙。
【請求項３】
前記ストッパー５が、前記シート３の挿入先端側に切り込みを入れ、その挿入基端側辺３Ｂとの間に所定の掴み代３Ｃを残して、折り曲げ部７を形成し、該折り曲げ部７を折り曲げて立ち上げた突片５Ａに構成されている、請求項１又は請求項２の包装用補助台紙。
【請求項４】
前記ストッパー５が、前記シート３の一部を幅方向に峰が走るように山形５Ｂに曲伸自在に折り曲げて構成されている、請求項１又は請求項２の包装用補助台紙。
【請求項５】
前記本体外皮１が透明な素材で構成され、その底辺１Ａにおいて感圧性粘着剤によって開閉自在に構成され、その上辺１Ｂのヘッダー６に吊り下げ用の孔８が穿孔されている、
請求項１乃至請求項４の包装用補助台紙。
【発明の詳細な説明】
【０００１】
【発明の属する技術分野】
本発明は、包装用台紙に関し、詳しくは、柔軟な包装物、例えば、特殊なティッシュ、ガーゼ、ハンカチ、ソックス等を収納して販売するのに適した包装に用いるための台紙に関する。
【０００２】
【従来の技術】
上述した柔軟な包装物である特殊なティッシュ、ガーゼ、ハンカチ、ソックス等を小ロットでコンビニエンスストアや量販店で販売することが多くなってきている。
このような包装物を収納するための包装本体は、一目で内容物が把握できるように、一般に透明な合成樹脂フィルムで構成され、そのヘッダー部に設けた孔を利用してハンガーボードに吊り下げて展示できるように構成されている。
【０００３】
これまでに用いられていた包装は、上述した柔軟な包装物を合成樹脂フィルムでラップした状態で完全シール（熱溶着等）し、開封に際して包装を破ってしまう方式と、封筒状の包装の一辺を、感圧性粘着剤を用いて開封自在に構成し、開封に際して接着を剥がし、包装物（特殊ティッシュ等）の一部取り出し、再度閉鎖して再利用を図ることができる方式とがある。
【０００４】
【発明が解決しようとする課題】
しかし、こうした何れの方式であっても、包装物は、合成樹脂フィルムの封筒状の中に直接収納されているだけである。
この場合、包装物、例えば、シリコン含浸のティッシュや、ガーゼ、或いはソックスといった柔軟性を持つ場合、只でさえ嵩がある割に折れ曲がり易いのに、まして押し込もうとして力を加えると、更に曲がって容易に挿入出来ない。
【０００５】
要するに、包装の段階において包装物の収納作業に手間取るという問題がある。まして、上述した如く、封筒状の包装の一辺を、感圧性粘着剤を用いて開封自在に構成し、開封に際して接着を剥がし、包装物（特殊ティッシュ等）の一部取り出し、再度閉鎖して、包装物の必要に応じて何度も取り出しを行う場合には、購入者側において、こうした面倒な挿入作業を繰り返して行わなければならなくなる。
【０００６】
本発明は、かかる問題に鑑み、柔軟性を持つ包装物を小ロット封筒状の包装袋に容易に収納取り出しを行うことの出来る包装用補助台紙を提供することを目的とする。
【０００７】
【課題を解決するための手段】
本発明かかる包装用補助台紙は、上記目的を達成するべく、合成樹脂フィルムで袋状に構成された本体外皮１に、柔軟性を持つ包装物２を収納するための包装用補助台紙であって、前記本体外皮１の収納スペースに略一致する所定の強度を持つシート３と、該シート３の挿入先端側辺３Ａの一部を折り曲げて構成された前記包装物２を支持するための支持部４と、前記包装物２を前記支持部４との間で位置保持するために前記シート３の挿入基端側の一部に設けられたストッパー５とから構成する、という手段を講じたものである。
【０００８】
本発明で用いる本体外皮１の合成樹脂フィルムとしては、ポリエチレン系、ポリビニール系等、包装用素材としてこれまでに使用されているものであれば、適宜のものを選択して仕様してよい。
また、柔軟な包装物２とは、例えば、シリコン含有のメガネ拭き用のティッシュ、種々の目的のガーゼ、ハンカチ、ソックス等が挙げられるが、こうした物と実質的に同じ柔軟な性質を持つものである。
【０００９】
更に、所定の強度を持つシート３とは、所定の厚みを持った紙製の板材、厚みのある合成樹脂フィルム乃至シート等で撓みを生じても折れ曲がりしないものが好ましいが、包装物をこれに載置して袋状の包装内に対して出し入れした場合に、挿入、出し入れに支障を来たすような変形をしない素材であれば良い。
【００１０】
【発明の実施の態様】
本発明において、前記支持部４が前記シート３の挿入側の一部３Ａを折り曲げて前記包装物２を介在させて該シート３に所要長さＬだけ重なるように構成されているのが好ましい。
このように構成することで、包装物２の端部を保持すると共に包装物２の端部を覆うことで、この包装物２を袋状の本体外皮１の中に入れる場合に、その先端側部分が強度を持ち、変形することなく容易に袋中に押し込んで行くことが出来る。従って、袋状の本体外皮１を何度も使用できるように開閉自在とした構成の場合には、非常に楽な出し入れを行うことが出来る。
【００１１】
そして、前記ストッパー５が、前記シート３の挿入先端側に切り込みを入れ、その挿入基端側辺３Ｂとの間に所定の掴み代３Ｃを残して、折り曲げ部７を形成し、該折り曲げ部７を折り曲げて立ち上げた突片５Ａに構成されていることも好ましい。
【００１２】
この構成によって、前記ストッパー５を、前記シート３の一部を兼用利用することが出来る。また、掴み代３Ｃを残すことで、開封時に内部の包装物２を取り出す際に、前記シート３が掴み易く、このシート３を取り出すことで、包装物２をも容易に取り出すことが出来る。
【００１３】
更に、前記シート３の挿入先端側に切り込みを入れ、その挿入基端側辺３Ｂに折り曲げ部７を形成することで、その突片５Ａは包装物２の端部を押さえ込むように機能でき、包装物２の位置固定により一層寄与できる。
【００１４】
更に、前記ストッパー５が、前記シート３の一部を幅方向に峰が走るように山形５Ｂに曲伸自在に構成されるようにしてもよい。
この構成の場合、包装物２の端部の全体を安定的に支持できると共に包装物２の取り出しに際して、シート３を引き出すと、前記山形５Ｂが自然に伸ばされ、ストッパー５の機能が消滅して、包装物２を用意に取り出すことが出来る。
【００１５】
又、前記本体外皮１が透明な素材で構成され、その底辺１Ａにおいて感圧性粘着剤によって開閉自在に構成され、その上辺１Ｂのヘッダー６に吊り下げ用の孔８が穿孔されているのが好ましい。
この場合、この包装袋をコンビニや、量販店の店頭においてハンガーボードに吊るして並べて販売できると共に吊り下げ状態で内部の包装物２が何であるかを認識できる。
【００１６】
また、感圧性粘着剤によって開封自在の構成とされているため、包装物２を複数回に亘って使用する場合、例えば、特殊なティッシュやガーゼ等には、上述した包装物２の出し入れの利便性をより一層顕著に発揮できる。そして、前記シート３の端部が包装袋の折り返し位置になることができて、前記感圧性粘着剤の部分の折り曲げ位置を常時一定に保持して位置ズレを防止でき、他物への付着を未然に回避出来る。
【００１７】
【実施例】
以下、本発明にかかる包装用台紙の好適実施例について、図面を参照して詳述する。
図１乃至図３に示すように、本発明にかかる包装用台紙は、合成樹脂フィルムで袋状に構成された本体外皮１に、柔軟性を持つ包装物２、ここではシリコン含有の特殊チィッシュを収納するための包装用補助台紙であって、前記本体外皮１の収納スペースに略一致する所定の強度を持つシート３と、該シート３の挿入先端側辺３Ａの一部を折り曲げて構成された前記包装物２を支持するための支持部４と、前記包装物２を前記支持部４との間で位置保持するために前記シート３の挿入基端側の一部に設けられたストッパー５とから構成されている。
【００１８】
図１は、シート３を展開した正面図であって、図２は、その斜視図であり、図３は、そのシート３を包装物２と共に挿入した包装袋の全体を示す斜視図であって、ここでは、シート３は紙製である。図１において描かれている破線９Ａ，９Ｂ，９Ｃは、折り曲げ線であり、その破線９Ａ，９Ｂの間隔は、包装物２を収納する厚みの幅であり、同時に収納物２の端部を支持することになるところから、上述した支持部４を構成する。
【００１９】
そして、前記破線９Ａ，９Ｂにより折り曲げられた前記シート３の挿入側の一部３Ａは、前記包装物２を介在させて該シート３に所要長さＬだけ重なるように構成され、この部分で包装物２が上下間で挟まれることになる。
【００２０】
また、前記ストッパー５は、ここでは、前記シート３の挿入先端側に略半円形の切り込みを入れ、その挿入基端側辺３Ｂとの間に所定の掴み代３Ｃを残して、折り曲げ部７を形成し、該折り曲げ部７を折り曲げて立ち上げた突片５Ａに構成されている。
【００２１】
更に、この実施例では、図３にも示すように、前記本体外皮１の合成樹脂フィルムが透明な素材で構成され、その底辺１Ａにおいて感圧性粘着剤によって開閉自在に構成され、その上辺１Ｂのヘッダー６に吊り下げ用の孔８が穿孔されている。この孔８には、販売店等のハンガーボーや棚に設けられた支持ロッド９が通され、この包装袋が吊り下げられる。
【００２２】
尚、前記ストッパー５としては、図４に示す如く、前記シート３の一部を幅方向に峰が走るように山形５Ｂに曲伸自在に折り曲げて構成される構成が用いられても良い。また、前記支持部４としては、図１乃至図３とは異なり、図５に示す如く、該シート３の挿入先端側辺３Ａの極く一部を折り曲げて構成してもよい。尚、図１において、正面図の右方実線図は、挿入先端側辺３Ａを折り曲げた時の側面図である。
【００２３】
図６は、別態様の台紙を構成するシート３の概略縦断側面を示し、ここでは、挿入先端側辺３Ａがシート３と重なるように折り返されると共にその先端が内側に所定長さだけ折り返されて押え片３Ｄに形成され、その復元力によって包装物２を押えることが出来るように構成してある。これによって、包装物２が本体外皮１の内部で容易にズレすることがない。５は、上記実施例と同様に、ストッパー５として存在する。
【００２４】
図７も、同様に別態様の台紙を構成するシート３の概略縦断側面を示し、ここでは、挿入先端側辺３Ａがシート３と重なるように折り返されると共にその先端が内側に所定長さだけ折り返されて押え片に形成されている点は同じであるが、この押え片は、上記実施例におけるストッパー５として構成され、上記包装物２は、このストッパー５と折り返された挿入先端側辺３Ａとの間に介装され、以って、包装物２が本体外皮１の内部で容易にズレすることがないように構成されている。
【００２５】
【発明の効果】
本発明に係る包装用台紙によれば、柔軟性を持つ包装物を小ロット封筒状の包装袋に容易に収納取り出した場合に、柔らかい包装物を容易に袋に収納できて、包装工程を楽に行い得ると共に複数回に亘って使用するような包装物の場合、開封自在の包装袋に対して容易に出し入れすることが出来る。
本発明のその他の具体的な利点は、上記発明の実施の態様の項及び実施例の項において詳述した通りである。
【図面の簡単な説明】
【図１】本発明に係る包装用台紙の展開正面図である。
【図２】本発明に係る包装用台紙の斜視図である。
【図３】本発明に係る包装用台紙を収納した包装袋の全体の斜視図である。
【図４】本発明に係る包装用台紙のストッパーの別態様を示す全体の斜視図である。
【図５】本発明に係る包装用台紙の支持部の別態様を示す全体の斜視図である。
【図６】本発明に係る包装用台紙の別の態様を示す全体の縦断側面図である。
【図７】本発明に係る包装用台紙の更に別の態様を示す全体の縦断側面図である。
【符号の説明】
１  本体外皮
１Ａ  底辺
１Ｂ  上辺
２  包装物
３  シート
３Ａ  シートの挿入先端側辺
３Ｂ  挿入基端側辺
３Ｃ  掴み代
４  支持部
５  ストッパー
５Ａ  突片
５Ｂ  山形
６  ヘッダー
７  折り曲げ部
８  吊り下げ用の孔
Ｌ  入り曲げ長さ
【図１】
2004338797.tif 000003
【図２】
2004338797.tif 000004
【図３】
2004338797.tif 000005
【図４】
2004338797.tif 000006
【図５】
2004338797.tif 000007
【図６】
2004338797.tif 000008
【図７】
2004338797.tif 000009